(57)【要約】【目的】ビル構内に光ケーブルを配線する際に、ＭＤＦ周辺への光キャビネット設置に伴う付帯工事が不要になったことによる折衝・設計・施工の簡素化を図り、かつ部外工事などで配線部分が損傷することがあっても、全ての回線に影響することなく、切換作業が最小限で済む構内光配線システムを提供することにある。【手段】ビル構内に光ケーブルを配線するための構内光配線システムであって、構外からの引き込み光ケーブルを固定する固定モジュールと、前記引き込み光ケーブルを成端する第一の光ケーブル成端モジュールと、前記第一の成端モジュールの出側端子と接続され一本の光ファイバーを複数の光ファイバーに分割する光スプリッターモジュールと、構内に配線されるケーブルを成端する第二の光ケーブル成端モジュールを有し、各モジュールは個別の筐体を有し、主配電盤ボックス内の空き空間に取付けできることを特徴とする。【選択図】図１
2007121784.tif 000002
【特許請求の範囲】
【請求項１】
ビル構内に光ケーブルを配線するための構内光配線システムであって、
構外からの引き込み光ケーブルを固定する固定モジュールと、
前記引き込み光ケーブルを成端する第一の光ケーブル成端モジュールと、
前記第一の成端モジュールの出側端子と接続され一本の光ファイバーを複数の光ファイバーに分割する光スプリッターモジュールと、
構内に配線されるケーブルを成端する第二の光ケーブル成端モジュールを有し、
各モジュールは個別の筐体を有し、主配電盤ボックス内の空き空間に取付けできることを特徴とする構内光配線システム。
【請求項２】
前記各モジュールは主配電盤ボックス内の空き空間に３次元的に取付け可能な嵩上げ機能を有していることを特徴とする請求項１に記載の構内光配線システム。
【請求項３】
請求項１又は２に記載の前記光ケーブル成端モジュールは、様々な形状の通信用配線盤内の基板に固定可能であり、かつ狭隘な隙間に設置できるように小型化された筐体であることを特徴とする光ケーブル成端モジュール。
【請求項４】
前記光ケーブル成端モジュールは、テープ心線と単心線を別に収納できるように２層トレイ構造になっていることを特徴とする請求項３に記載の光ケーブル成端モジュール。
【請求項５】
前記光ケーブル成端モジュールの出力側インタフェースは、ＦＡコネクタ、ＳＣコネクタ、ＭＵコネクタ、ＭＴコネクタの少なくともいずれかひとつを備えたことを特徴とする請求項３又は４に記載の光ケーブル成端モジュール。
【請求項６】
請求項１又は２に記載の前記光スプリッターモジュールは、様々な形状の通信用配線盤内の基板に固定可能であり、かつ狭隘な隙間に設置できるように小型化された筐体を有し、
コード化された複数の光ファイバーを有し、
前記コード化された複数の光ファイバーコードの余長を調整可能な長さ調整機能を有することを特徴とする光スプリッターモジュール。
【請求項７】
前記光スプリッターモジュールの入力側及び出力側はＦＡコネクタ、ＳＣコネクタ、ＭＵコネクタ、ＭＴコネクタの少なくともいずれかひとつを備えたことを特徴とする請求項６記載の光スプリッターモジュール。
【発明の詳細な説明】
【技術分野】
【０００１】
本発明は、主に集合住宅やオフィスビル内に光ケーブルを配線する際に有用である。特に今後は光ファイバー回線が大量開通され、開通と廃止が繰り返されたときに施工面・コスト面で有利である。
【背景技術】
【０００２】
【非特許文献１】「インテリジェントビルの構築を目指して」(株)オーム社 p92〜p95
【０００３】
これまでの集合住宅やオフィスビル内の光ケーブル配線は光キャビネット内に引き込みケーブル、スプリッタ、構内ケーブル類を収容し、キャビネット内部でケーブル成端及び接続等を行っていた。（非特許文献１）
このような光キャビネット方式では、先配線に必要なケーブル固定、ケーブル成端や光ファイバー接続といったすべての機能を実装しているため光キャビネットが大きくなり、ビルに配備されているＭＤＦ（主配線盤）ＢＯＸ内の空きスペースに設置できる場合はほとんどなく、ＭＤＦＢＯＸ周辺に光キャビネットを設置する必要がある。この場合は居住者の共有部を圧迫し、さらには設置場所等の折衝や設計に時間がかかり、顧客の希望する時期に光ファイバー回線を提供できないことがあった。また、光キャビネットは大きさによって規定のケーブル成端数、スプリッタ設置数等があり、想定外の需要が発生した場合には再度別の光キャビネットを設置する必要がある。このような需要変動に耐えるためには、大きな光キャビネットを初期段階で設置する必要があり、イニシャルコストがアップするといった問題があった。さらに、現状のキャビネットは開通時に光ファイバー心線に触れることがあり、現用回線に影響を及ぼすことも懸念されていた。
【０００４】
また、筐体自体が部外工事等で損傷を受けた場合は、キャビネットの取り替えが必要となり、全ての回線で切換作業が発生していた。
【発明の開示】
【発明が解決しようとする課題】
【０００５】
本発明は上記の先行技術のもつ問題点を鑑みてなされたものであり、集合住宅やオフィスビル内に光ケーブルを配線する際に、これまで必要であった光キャビネットの設置場所等の折衝や設計にかかる時間をなくし、ＭＤＦ周辺へのキャビネット設置に伴う付帯工事が不要になったことによる設計・施工の簡素化を図ることを目的としている。さらに、部外工事などで配線部分が損傷することがあっても、全ての回線に影響することなく、切換作業が最小限で済む構内光配線システムを提供することにある。
【課題を解決するための手段】
【０００６】
本発明の構内光配線システムは、ビル構内に光ケーブルを配線するための構内光配線システムであって、構外からの引き込み光ケーブルを固定する固定モジュールと、前記引き込み光ケーブルを成端する第一の光ケーブル成端モジュールと、前記第一の成端モジュールの出側端子と接続され一本の光ファイバーを複数の光ファイバーに分割する光スプリッターモジュールと、構内に配線されるケーブルを成端する第二の光ケーブル成端モジュールを有し、各モジュールは個別の筐体と、主配電盤ボックス内の空き空間に取付けできるように、嵩上げ機能を有していることを特徴とする。
【０００７】
本発明の光ケーブル成端モジュールは、様々な形状の通信用配線盤内の基板に固定可能であり、かつ狭隘な隙間に設置できるように小型化された筐体であることを特徴とする
本発明の光ケーブル成端モジュールは、テープ心線と単心線を別に収納できるように２層トレイ構造になっていることが好ましい。
【０００８】
本発明の光ケーブル成端モジュールは、出力側インタフェースにＦＡコネクタ、ＳＣコネクタ、ＭＵコネクタ、ＭＴコネクタの少なくともいずれかひとつを備えたことが好ましい。
【０００９】
本発明の光スプリッターモジュールは、様々な形状の通信用配線盤内の基板に固定可能であり、かつ狭隘な隙間に設置できるように小型化された筐体を有し、コード化された複数の光ファイバーを有し、前記コード化された複数の光ファイバーの余長を調整可能な長さ調整機能を有することを特徴とする。
【００１０】
本発明の光スプリッターモジュールは、入力側及び出力側にＦＡコネクタ、ＳＣコネクタ、ＭＵコネクタ、ＭＴコネクタの少なくともいずれかひとつを備えたことが好ましい。
【発明の効果】
【００１１】
この発明の構内光配線システムは、今後メタル回線並みに光ファイバー回線が増えても、開通・廃止といったＳＯ工事を簡単且つ低コストに行うことができる配線方式であり、メタルケーブルが完全に廃止された場合でも、ビル内にあるＭＤＦＢＯＸ等の通信用基盤設備を遊休設備化させない利点がある。
【発明を実施するための最良の形態】
【００１２】
以下、図に示す実施例に基づいてこの発明をさらに詳しく説明する。
【００１３】
図１は本発明の構内配線システムの一例を示している。ビル構外からの引き込み光ケーブルは光ケーブル固定モジュールをＭＤＦＢＯＸ内の空きスペースに固定取り付けされる。ここで引き込み光ケーブルの外被切裂き際から光ファイバー４心テープ心線を２本ずつまとめて光心線保護チューブで保護し、予めＭＤＦＢＯＸ内の空きスペースに設置されている光ケーブル成端モジュール（図２）に８心まとめて収納する。平面的に空きスペースが無い場合、自在に形状を変形できる嵩上げ機能を利用し、固定部をＭＤＦＢＯＸ内の板に固定し、三次元的な空間を利用して取付ける。
【００１４】
嵩上げ機能はＭＤＦＢＯＸ内の空き空間を三次元的に利用し各モジュールを設置するための機能であり、例えば、金属製フレキシブルチューブ、Ｌ字金具等を組み合わせた長さ可変金属ブラケット等の金属ブラケットを用いる。また、プラスチック製のモジュール筐体に一体成型したプラスチック製ブラケットなどを用いても良い。
【００１５】
光ケーブル成端モジュールに収納されたテープ心線は、光ファイバー下層トレイで余長処理され、単心に分離される。単心に分離された光ファイバーは上層トレイで余長処理され先端に心線把持型のコネクタを開通の都度取付け固定できる構造である。取付け可能なコネクタはＦＡコネクタ、ＳＣコネクタ、ＭＵコネクタ、ＭＴコネクタなどである。専用線等の光心線をそのまま使うサービスは、光ケーブル成端モジュールの光コネクタに接続する。
【００１６】
また１本の光ファイバーをスプリッタで分岐する回線は光スプリッタモジュール（図３）をＭＤＦＢＯＸ内の空きスペースに設置し、入力側のコードを光ケーブル成端モジュールに接続し、出力側コードを構内ケーブル成端モジュールの光コネクタと接続する。平面的に空きスペースが無い場合、自在に形状を変形できる嵩上げ機能を利用し、固定部をＭＤＦＢＯＸ内の板に固定し、三次元的な空間を利用して取付ける。（図６）入力側と出力側コードは長さを調整できるように、スプリッターモジュール筐体にガイドがあり、コードの余長をまきつける構造である。
【００１７】
構内ケーブル成端モジュール（図４）は、光ケーブル成端モジュールと同様に２層構造であり、テープ心線と単心線を別々のトレイで余長処理できる構造である。単心線の先端には、ＦＡコネクタ、ＳＣコネクタ、ＭＵコネクタ、ＭＴコネクタなどの光コネクタが取り付けられ、モジュール筐体に固定できる構造となっている。構内ケーブル成端モジュールは構内ケーブルがなくＭＤＦから各部屋までインドア光ファイバーで配線するようなビル用として、コネクタ接続部を配線盤内で固定且つ整列させる機能のモジュールタイプ（図５）がある。
【００１８】
本配線方式では、各モジュール筐体内部や防護チューブ内に光ファイバー心線を完全に収納することで防塵効果がある。また、メタルケーブル作業時は嵩上げ機能によりモジュールを移動することにより、裏面に設置されたメタルケーブル成端部や保安器の作業を実施できる。
【００１９】
本実施例のコネクタの種類及び配線構成はあくまで一例であり、これによりこの発明が限定されるものではない。
【産業上の利用可能性】
【００２０】
本発明の構内光配線システムによれば、次のような効果が得られる。
【００２１】
（１）キャビネット形式のように大きな物体は既存の通信基盤設備内に設置することが困難である。本物品は、小型化したモジュールを分散設置するので、ビル内に用意された通信用基盤設備を有効に利用することができる。これによりビルオーナが負担するビル付帯工事を削減することができる。
【００２２】
（２）従来のキャビネットは１９インチラックへの光配線ができなかったが、本発明により１９インチラックに成端することができる。物品の供用化が図れるため、大量導入による物品コストを削滅することができる。
【００２３】
（３）現状はサイズ毎に分かれていたキャビネットをビルの最終的に発生する需要見合いによって選定し、キャビネットの要領に不足が生じないように設計をしていたが、本物品は１種類の配線パターンで、需要増にもモジュールを空きスペースに追加することで対応できるため、設計コスト及びイニシャルコストの低コスト化が図れる。
【００２４】
（４）既存の通信基盤設備を有効利用できない場合、建物への付帯工事が発生するため折衝、設計、施工期間が長くかかる問題があったが、本発明では、既存の通信基盤設備を有効利用できるため、低コストで光ファイバー回線を開通することができる。
【００２５】
（５）旧型キャビネットの老朽化時は新規にケーブルからキャビネットまでを新設して切り替える必要があるが、本発明により、既存のケーブルの空き心線に本発明の物品を成端し、順次切り替えることができるため、低コストで切り替え工事を行うことができる。
【００２６】
（６）従来の技術では、メカニカルスプライス等で特殊工具を用いた接続を行うため、光配線の開通に施工時間及び費用がかかっていた。さらに、撤去時は接続点を切断し、再開通時は再度メカニカルスプライスで接続するため、工事毎に物品費及び施工費がかかっていた。本発明により、すべての接続点がコネクタインターフェースとなるため、開通・廃止時のＳＯ工事が簡素化や故障時の切り分けも簡単にできるため、建設・保守費用を大幅に削減することができる。
【００２７】
（７）これまでのキャビネットは機能が１点に集約されているため、筐体が破損した場合はすべての回線に影響したが、本発明によって、各機能が単体部品としてモジュール化され、故障した部分のみの部品交換を行うことができる為にメンテナンスを容易にできる。
【図面の簡単な説明】
【００２８】
【図１】本発明の構内光配線システムの実施例である。
【図２】本発明の光ケーブル成端モジュールの概観図（ＦＡコネクタ実装例）である。
【図３】本発明の構内ケーブル成端モジュールの概観図（ＦＡコネクタ実装例）である。
【図４】本発明の光スプリッターモジュールの概観図（ＦＡコネクタ８分岐スプリッタ実施例）である。
【図５】本発明の光スプリッターモジュール（コネクタホルダ）である。
【図６】本発明の嵩上げ機能を示す概要図である。
【図１】
2007121784.tif 000003
【図２】
2007121784.tif 000004
【図３】
2007121784.tif 000005
【図４】
2007121784.tif 000006
【図５】
2007121784.tif 000007
【図６】
2007121784.tif 000008